(57)【要約】      （修正有）【課題】胸の揺れを抑えるとともに、胸元の安定感と快適な着用感を両立することができるハーフトップを提供する。【解決手段】ハーフトップ１は、外側生地４と肌側生地からなる前身頃２と、それらの生地の間に左右一対に設けられたカップ部６を備え、カップ部６と外側生地４の間にはさらにサポート部材７を設け、サポート部材７は、その上部が前身頃２の上部に、その下部が前身頃２の下端のアンダー部９にそれぞれ縫着され、その中間部は縫着されずに遊離している。【選択図】図１
0003228330.tif 000002
【実用新案登録請求の範囲】
【請求項１】
外側生地と肌側生地からなる前身頃と、それらの生地の間に左右一対に設けられたカップ部を備え、該カップ部と外側生地の間にはさらにサポート部材を設け、該サポート部材は、その上部が前身頃の上部に、その下部が前身頃の下端のアンダー部にそれぞれ縫着され、その中間部は縫着されずに遊離していることを特徴とするハーフトップ。
【請求項２】
前記サポート部材は、縦方向の伸びが少なく、横方向の伸びが大きくなるように配置されていることを特徴とする請求項１に記載のハーフトップ。
【請求項３】
前記サポート部材は、左右の乳房を覆うように前身頃の一部に縦長に配置されていることを特徴とする請求項１または２に記載のハーフトップ。
【請求項４】
前記サポート部材の上部は、ストラップ取付部、襟ぐりおよびアームホールの途中まで前身頃の生地に縫い付けられていることを特徴とする請求項１ないし３のいずれかに記載のハーフトップ。
【考案の詳細な説明】
【技術分野】
【０００１】
本考案は、運動時の着用に適し、胸の揺れを抑えるとともに、快適な着用感を両立したハーフトップに関する。
【背景技術】
【０００２】
従来、主に運動時に着用することによる乳房の揺れ抑制を目的としたハーフトップとして種々のタイプのものが提案されている。それらは、程度の差こそあれ、締め付け力により乳房の上下左右への揺れを防止するというものであった（特許文献１、２）。
【０００３】
しかしながら、特許文献１のものは、乳房外周縁を囲む形で固定することにより、乳房外周部を囲んで揺れを抑え、乳頭部分や近辺に力をかけることなく乳房の揺れを押さえるため、着用時に圧迫感が軽減するが、乳頭のある乳房中心部の保持が不十分であった。また、特許文献２のものは、胸の形が潰れるという問題があった。  
【先行技術文献】
【特許文献】
【０００４】
【特許文献１】特開２０１１−１７９１４４
【特許文献２】特開２０１４−１６７１９５
【考案の概要】
【考案が解決しようとする課題】
【０００５】
本出願人は、運動時、体の表面で揺れやすいのは骨から離れた皮膚・脂肪等の部分のため、その膨出した部分だけを覆ってサポートすれば揺れにくくなるとの知見を得て、課題を解決するに至った。
【０００６】
すなわち本考案は、従来のハーフトップの欠点を克服し、運動時、特に走った時の胸の揺れを抑えるとともに、快適な着用感を損なうことがないハーフトップの提供を課題とするものである。
【課題を解決するための手段】
【０００７】
本考案は、上記課題を解決するものであり、外側生地と肌側生地からなる前身頃と、それらの生地の間に左右一対に設けられたカップ部を備え、該カップ部と外側生地の間にはさらにサポート部材を設け、該サポート部材は、その上部が前身頃の上部に、その下部が前身頃の下端のアンダー部にそれぞれ縫着され、その中間部は縫着されずに遊離していることを特徴とするハーフトップである。
【０００８】
また本考案は、サポート部材は縦方向の伸びが少なく、横方向の伸びが大きくなるように配置されていることを特徴とするハーフトップである。
【０００９】
また本考案は、サポート部材は左右の乳房を覆うように前身頃の一部に縦長に配置されていることを特徴とするハーフトップである。
【００１０】
さらに本考案は、サポート部材の上部はストラップ取付部、襟ぐりおよびアームホールの途中まで前身頃の生地に縫い付けられていることを特徴とするハーフトップである。
【考案の効果】
【００１１】
本考案にかかるハーフトップは、モールドカップにより乳房をホールドして着用感を維持し、乳房の左右それぞれのカップ部の上から覆うように縦方向に伸びが少ないサポート部材を配置することにより、縦揺れを軽減させることができる。
【００１２】
また、本考案にかかるハーフトップは、肩までの部分は外側生地、サポート部材、肌側生地の３枚を重ねることで伸びを抑えることにより、より縦揺れを軽減させながら、乳房部分はサポート部材の両辺を縫い付けずに遊離させることでカップの動きに追従し、圧迫感が軽減されることから着用感とホールド感をともに得ることができる。
【００１３】
さらに、本考案にかかるハーフトップは、サポート部材を前身頃の一部に限定して配置することにより、フックアイを備えていなくても、着脱が容易である。
【図面の簡単な説明】
【００１４】
【図１】本考案に係るハーフトップの正面図。
【図２】本考案に係るハーフトップの背面図。
【考案を実施するための形態】
【００１５】
以下、本考案のハーフトップの実施態様を、図面に基づいて具体的に説明する。なお、本考案はこれら実施態様に何ら制約されるものではない。
【００１６】
図１は本考案に係るハーフトップの正面図、図２は同背面図である。図に示すように、本考案に係るハーフトップは、胸部を被覆する前身頃１と、前身頃１の両脇から背面を覆うように連接された後身頃３と、前身頃２の上部に連接され、肩上を経て後身頃３へ延伸する一対のストラップ８とを備える。また、前身頃２と後身頃３の下端にはアンダー部９が設けられている。以下、各部について詳しく説明する。
【００１７】
本考案のハーフトップ１の前身頃２は、外側生地４と肌側生地５からなり、それらの生地に挟まれる形でカップ部６が左右一対に設けられている。カップ部６は肌側生地５に縫い付けて固定されていることが好ましい。カップ部６はその周辺部を肌側生地５と一体になるように縫着されているが、上辺のみライン状につないでアームホール２２方向に固定してもよく、挿入カップも対応可能である。
【００１８】
カップ部６と外側生地４との間にはサポート部材７が縦長に配置されている。サポート部材７は、上端がストラップ取り付け部２３に、下端がアンダー部９まで届くように設けられている。より詳しくは、サポート部材７の上部はストラップ取付部２３に至る前身頃２上部の幅が狭く形成された部分とほぼ同じ幅で形成され、その下部は、緩やかに左右に膨出する曲線を描いてカップ部６をほぼ覆う程度の幅になるように形成されている。
【００１９】
サポート部材７は、左右それぞれのカップ部６を上から覆うように配置され、その上部はストラップ取付部２３、襟ぐり２１およびアームホール２２の途中まで前身頃２の生地に縫い付けられるとともに、下端部はアンダー部９に対して縫い付けられる。一方、それ以外の中間部の脇辺については、前身頃２やカップ部６に縫い付けられず遊離している。
【００２０】
以上の構成により、本考案のハーフトップ１は、肩までの部分は外側生地４、サポート部材７、肌側生地５の３枚を重ねることで伸びを抑え、乳房部分はサポート部材７の脇辺を縫い付けないことでカップ部６の動きに追従しながらも縦揺れを抑えることができる。
【００２１】
このようにサポート部材７を前身頃２全体ではなく、左右の乳房を覆うように前身頃２の一部に限定して配置することにより、本実施態様のようにフックアイを備えていないハーフトップであっても、着脱が困難になることがなく好ましい。
【００２２】
サポート部材７は、生地の縦横方向の伸縮性の違いに応じて、縦方向の伸びが少なく、横方向の伸びが大きくなるように配置する。かかるサポート部材７には、伸縮性のあるパワーネットなどを好適に使用することができる。
【００２３】
外側生地４、肌側生地５には、編物を用いることが好ましく、トリコット生地、メッシュ生地、ラッセル生地、ダブルラッセル生地などを好適に使用することができる。
【００２４】
カップ部６は、通気性のある穴あきモールドカップが好ましい。さらに、伸縮性のあるウレタンのストレッチモールドカップでもよく、不織布タイプやダブルラッセルでもよい。カップ部６の材質としては、ポリウレタン、ポリスチレン、ポリプロピレン、ポリブタジェン、天然ゴム、合成ゴム、シリコン等の発泡体を好適に使用することができる。  
【００２５】
また、更にハードサポートにするために、裏面からカップ部６の縫い付けが見えないように、外側生地４と肌側生地５の間に更に１枚生地を入れて、その生地にカップ部６を縫い付けた上で、パワーネットのサポート部材７を入れてもよい。他に、サポート部材７の脇辺を縫い付けないことで、サポート部材７の長さを外側生地４と肌側生地５の長さよりも短く設定することにより、更に縦揺れを抑えることができる。
【００２６】
なお、本実施態様では、左右のストラップ８は各２本のダブルストラップにより構成され、背中でクロスし、下端部はアンダー部９に縫い込まれている。このように、ダブルストラップとすることにより少ない生地でも広い面積で支えられ、また、クロスにすることにより、ずれにくくなるので好ましい。また、ストラップ８の中には、ゴム等の弾性体を包んでしっかりさせることが好ましい。さらに、アンダー部９にもずれにくくするためにゴム等の幅のある弾性体を設けて安定させることが好ましい。
【産業上の利用可能性】
【００２７】
本考案のハーフトップは、その着丈を長くして、タンクトップやキャミソール状の形状に構成することもできる。
【符号の説明】
【００２８】
１  …  …  ハーフトップ
２  …  …  前身頃
３  …  …  後身頃
４  …  …  外側生地
５  …  …  肌側生地
６  …  …  カップ部
７  …  …  サポート部材
８  …  …  ストラップ
９  …  …  アンダー部
２１  …  …  襟ぐり
２２  …  …  アームホール
２３  …  …  ストラップ取付部
【図１】
0003228330.tif 000003
【図２】
0003228330.tif 000004